【手続補正書】
【提出日】令和1年8月26日(2019.8.26)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
アクセスポイントからトリガフレームを受信するように構成される受信機と、前記トリガフレームは２つ以上の局に送信され、かつアップリンク送信機会を示し、前記トリガフレームは、物理層コンバージェンスプロトコル（ＰＬＣＰ）プロトコルデータユニット（ＰＰＤＵ）持続時間フィールドと、特定の時点においてアップリンクデータを同時に送信することを前記２つ以上の局に求める要求とを備え、ここにおいて、前記ＰＰＤＵ持続時間フィールドは前記ＰＰＤＵの持続時間のみを示し、
前記２つ以上の局のうちの別の１つが前記アクセスポイントにアップリンクデータを送信するのと同時に、前記特定の時点においてアップリンクデータを前記アクセスポイントに送信するように構成される送信機と、
を備える、装置。
【請求項２】
前記アップリンク送信機会は、前記アップリンクデータの各送信について共通の持続時間を有する、請求項１に記載の装置。
【請求項３】
前記特定の時点は、前記トリガフレームの前記受信の終わりの後、短フレーム間空間（ＳＩＦＳ）またはポイントフレーム間空間（ＰＩＦＳ）時間に基づいて通信される、請求項１に記載の装置。
【請求項４】
前記送信機はさらに、前記トリガフレームを受信した後、かつ前記アップリンクデータの前記送信の前の時間に、スクランブリングシーケンスを有するクリアツーセンド（ＣＴＳ）メッセージを送信するように構成され、前記スクランブリングシーケンスは、前記２つ以上の局のうちの前記別の１つによって送信されたのと同じ、クリアツーセンド（ＣＴＳ）メッセージのスクランブリングシーケンスである、請求項１に記載の装置。
【請求項５】
前記トリガフレームは、特定の局のための１つまたは複数の局（ＳＴＡ）情報フィールドを備える、請求項１に記載の装置。
【請求項６】
前記１つまたは複数の局（ＳＴＡ）情報フィールドは、許可される送信モードの指示を備える、請求項５に記載の装置。
【請求項７】
許可される送信モードの前記指示は、短い／長いガード間隔（ＧＩ）または巡回プレフィックスモード、バイナリ畳み込み符号（ＢＣＣ）／低密度パリティチェック（ＬＤＰＣ）モード、および空間時間ブロックコーディング（ＳＴＢＣ）モードのうちの１つまたは複数を備える、請求項６に記載の装置。
【請求項８】
前記１つまたは複数の局（ＳＴＡ）情報フィールドは、周波数分割多元接続（ＦＤＭＡ）システムおよび／または直交ＦＤＭＡシステムを使用して、アップリンクデータの送信のためのトーンおよび／または周波数を示すトーン割振りフィールドを備える、請求項５に記載の装置。
【請求項９】
前記１つまたは複数の局（ＳＴＡ）情報フィールドは、アップリンクデータの送信のための開始時間を示す送信開始時間フィールドを備える、請求項５に記載の装置。
【請求項１０】
前記１つまたは複数の局（ＳＴＡ）情報フィールドは、アドレス識別子フィールド、空間ストリームの数およびインデックス、時間調整フィールド、電力調整フィールド、許可されるトラフィック識別子フィールド、ならびに変調およびコーディング方式フィールドの１つまたは複数を備える、請求項５に記載の装置。
【請求項１１】
前記トリガフレームは、前記特定の時点においてアップリンクデータを同時に送信するために前記２つ以上の局を局のグループとして示すグループ識別子（ＧＩＤ）フィールドを備える、請求項１に記載の装置。
【請求項１２】
前記トリガフレームは、前記特定の時点においてアップリンクデータを同時に送信するために前記２つ以上の局を特定するユニキャストまたはマルチキャストアドレスを示す受信機アドレス（ＲＡ）フィールドを備える、請求項１に記載の装置。
【請求項１３】
前記トリガフレームは、前記特定の時点においてアップリンクデータを同時に送信するために前記２つ以上の局についてのデータレート情報を示すフィールドを備える、請求項１に記載の装置。
【請求項１４】
前記トリガフレームは、フレーム制御フィールド、送信機アドレスフィールド、および基本サービスセット識別子（ＢＳＳＩＤ）フィールドのうちの１つまたは複数を備える、請求項１に記載の装置。
【請求項１５】
前記トリガフレームは、管理フレームまたは制御フレームを備える、請求項１に記載の装置。
【請求項１６】
前記送信機はさらに、前記アクセスポイントへのアップリンクデータの送信のための要求を送信するように構成される、請求項１に記載の装置。
【請求項１７】
アップリンクデータを送信するための前記要求は、リクエストツーセンド（ＲＴＳ）メッセージ、リクエストツートランスミット（ＲＴＸ）メッセージ、電力節約（ＰＳ）ポールメッセージ、またはサービス品質（ＱｏＳ）ヌルメッセージを備える、請求項１６に記載の装置。
【請求項１８】
前記受信機はさらに、アップリンクデータの送信を求める前記要求に応答して第２のトリガフレームを受信するように構成され、前記第２のトリガフレームは、アップリンクデータの送信を求める前記要求が受信されたことを示す、請求項１６に記載の装置。
【請求項１９】
前記受信機はさらに、前記トリガフレームを受信するように構成され、前記トリガフレームは第２のメッセージと集約される、請求項１に記載の装置。
【請求項２０】
ワイヤレス通信のための方法であって、
アクセスポイントからトリガフレームを受信することと、前記トリガフレームは２つ以上の局に送信され、かつアップリンク送信機会を示し、前記トリガフレームは、物理層コンバージェンスプロトコル（ＰＬＣＰ）プロトコルデータユニット（ＰＰＤＵ）持続時間フィールドと、特定の時点においてアップリンクデータを同時に送信することを前記２つ以上の局に求める要求とを備え、ここにおいて、前記ＰＰＤＵ持続時間フィールドは前記ＰＰＤＵの持続時間のみを示し、
前記２つ以上の局のうちの別の１つが前記アクセスポイントにアップリンクデータを送信するのと同時に、前記特定の時点においてアップリンクデータを前記アクセスポイントに送信することと、
を備える、方法。
【請求項２１】
前記トリガフレームは、前記特定の時点においてアップリンクデータを同時に送信するために前記２つ以上の局を特定するユニキャストまたはマルチキャストアドレスを示す受信機アドレス（ＲＡ）フィールドを備え、前記トリガフレームはさらに、１つまたは複数の局（ＳＴＡ）情報フィールドを備える、請求項２０に記載の方法。
【請求項２２】
前記１つまたは複数の局（ＳＴＡ）情報フィールドは、アドレス識別子フィールド、空間ストリームの数フィールド、時間調整フィールド、電力調整フィールド、許可されるトラフィック識別子フィールド、ならびに変調およびコーディング方式フィールドのうちの１つまたは複数を備える、請求項２１に記載の方法。
【請求項２３】
前記トリガフレームを受信することをさらに備え、前記トリガフレームは第２のメッセージと集約される、請求項２０に記載の方法。
【請求項２４】
ワイヤレス通信のための装置であって、
アクセスポイントからトリガフレームを受信するための手段と、前記トリガフレームは２つ以上の局に送信され、かつアップリンク送信機会を示し、前記トリガフレームは物理層コンバージェンスプロトコル（ＰＬＣＰ）プロトコルデータユニット（ＰＰＤＵ）持続時間フィールドと、特定の時点においてアップリンクデータを同時に送信することを前記２つ以上の局に求める要求とを備え、ここにおいて、前記ＰＰＤＵ持続時間フィールドは前記ＰＰＤＵの持続時間のみを示し、
前記２つ以上の局のうちの別の１つが前記アクセスポイントにアップリンクデータを送信するのと同時に、前記特定の時点においてアップリンクデータを前記アクセスポイントに送信するための手段と、
を備える、装置。
【請求項２５】
前記持続時間フィールドは、前記アップリンクデータの前記持続時間を示し、前記トリガフレームはさらに、前記特定の時点においてアップリンクデータを同時に送信するために、前記２つ以上の局を特定するユニキャストまたはマルチキャストアドレスを示す受信機アドレス（ＲＡ）フィールドを備える、請求項２４に記載の装置。
【請求項２６】
前記トリガフレームは、アドレス識別子フィールド、空間ストリームの数フィールド、時間調整フィールド、電力調整フィールド、許可されるトラフィック識別子フィールド、変調およびコーディング方式フィールド、許可される送信モードの指示、ならびにトーン割振りフィールドのうちの１つまたは複数を備える、１つまたは複数の局（ＳＴＡ）情報フィールドを備える、請求項２４に記載の装置。
【請求項２７】
実行されると、プロセッサに、
アクセスポイントからトリガフレームを受信し、前記トリガフレームは２つ以上の局に送信され、かつアップリンク送信機会を示し、前記トリガフレームは物理層コンバージェンスプロトコル（ＰＬＣＰ）プロトコルデータユニット（ＰＰＤＵ）持続時間フィールドと、特定の時点においてアップリンクデータを同時に送信することを前記２つ以上の局に求める要求とを備え、ここにおいて、前記ＰＰＤＵ持続時間フィールドは前記ＰＰＤＵの持続時間のみを示し、
前記２つ以上の局のうちの別の１つが前記アクセスポイントにアップリンクデータを送信するのと同時に、前記特定の時点においてアップリンクデータを前記アクセスポイントに送信する、
方法を実行させる命令を備える、非一時的コンピュータ可読媒体。
【請求項２８】
前記方法はさらに、前記トリガフレームを受信した後、かつ前記アップリンクデータの前記送信の前の時間に、スクランブリングシーケンスを有するクリアツーセンド（ＣＴＳ）メッセージを送信することを備える、請求項２７に記載の媒体。
【請求項２９】
前記トリガフレームを受信することは、アップリンクデータの送信を求める要求に応答して、前記トリガフレームを受信することを備える、請求項２７に記載の媒体。